(57)【要約】【課題】面板状反射材側のクロスと、マット状吸音材側のクロスとを、それらの継ぎ部分を目立たせることなくうまい具合に納めることができて、きれいな仕上がり状態にすることができる音響壁面構造等を提供する。【解決手段】  面板状反射材３とマット状吸音材４との間に、Ｕ字状金物９がその先端開口部を室内側に向けて配置され、マット状吸音材４の側面部に差し込み金物１０が取り付けられ、面板状反射材３の表面に貼られたクロス７の縁部がＵ字状金物９の内部に入れ込まれ、マット状吸音材４の表面に設けられたクロス８の縁部を差し込み金物１０の差し込み部１０ａに回り込ませた状態で、差し込み部１０ａが、Ｕ字状金物９の内部に室内側から差し込まれて、両クロス７，８が見切り材無く連続状態に設けられている。【選択図】      図１
2009270393.tif 000002
【特許請求の範囲】
【請求項１】
面板状反射材で構成される反射面と、マット状吸音材で構成される吸音面とが隣り合わせ状態に配置された音響壁面構造において、
前記面板状反射材とマット状吸音材との間に、内部奥拡がり状で先端窄まり状の断面Ｕ字状金物が、その先端開口部を室内側に向けるようにして配置されると共に、マット状吸音材の側面部に、前記Ｕ字状金物の内部に差し込まれる差し込み部を備えた差し込み金物が取り付けられ、
前記面板状反射材の表面に貼られたクロスの縁部がＵ字状金物の内部に入れ込まれると共に、
前記マット状吸音材の表面に設けられたクロスの縁部を差し込み金物の差し込み部に回り込ませた状態で、該差し込み金物の差し込み部が、前記Ｕ字状金物の内部に室内側から差し込まれてＵ字状金物と結合されることにより、両クロスが見切り材無く連続状態に設けられていることを特徴とする音響壁面構造。
【請求項２】
前記吸音材側のクロスは、マット状吸音材の表面部に対して非接着状態であると共に、裏地無しの布クロスからなっている請求項１に記載の音響壁面構造。
【請求項３】
前記反射材側のクロスが、貼り付け用の裏地を備えている点を除いて、前記吸音材側の布クロスと同じ布クロスからなっている請求項２に記載の音響壁面構造。
【請求項４】
前記マット状吸音材が、該マット状吸音材を吸音面内において保持する下地桟無く配置されている請求項１乃至３のいずれか一に記載の音響壁面構造。
【請求項５】
請求項１乃至４のいずれか一に記載の音響壁面構造の施工方法であって、
前記マット状吸音材側のクロスの縁部を回り込ませた差し込み金物の差し込み部を、Ｕ字状金物における面板状反射材とは反端の側の辺部に前記回り込ませたクロスを介して擦りつけるようにしてＵ字状金物の内部に差し込んでいくことにより、該マット状吸音材側のクロスを張り状態にすることを特徴とする音響壁面構造の形成方法。
【発明の詳細な説明】
【技術分野】
【０００１】
本発明は、音響壁面構造及びその形成方法に関する。
【背景技術】
【０００２】
室内を音響特性に優れたものにすることを目的として、壁面に、吸音面と反射面とを交互配置に設けるなど、吸音面と反射面とを隣り合わせ状態となるように配置することは、従来より行われている。
【特許文献１】特開２００７−２５４９６０号公報
【発明の開示】
【発明が解決しようとする課題】
【０００３】
しかしながら、反射面を面板状反射材で構成し、吸音面をマット状吸音材で構成し、表面をクロス仕上げとする場合に、面板状反射材側のクロスと、マット状吸音材側のクロスとを、それらの継ぎ部分を目立たせることなくうまい具合に納めることができれば、仕上がりをきれいにすることができるが、そのような納まりを実現したものは、未だ、提供されていない。
【０００４】
本発明は、上記のような背景において、面板状反射材側のクロスと、マット状吸音材側のクロスとを、それらの継ぎ部分を目立たせることなくうまい具合に納めることができて、きれいな仕上がり状態にすることができる音響壁面構造等を提供することを課題とする。
【課題を解決するための手段】
【０００５】
上記の課題は、面板状反射材で構成される反射面と、マット状吸音材で構成される吸音面とが隣り合わせ状態に配置された音響壁面構造において、
前記面板状反射材とマット状吸音材との間に、内部奥拡がり状で先端窄まり状の断面Ｕ字状金物が、その先端開口部を室内側に向けるようにして配置されると共に、マット状吸音材の側面部に、前記Ｕ字状金物の内部に差し込まれる差し込み部を備えた差し込み金物が取り付けられ、
前記面板状反射材の表面に貼られたクロスの縁部がＵ字状金物の内部に入れ込まれると共に、
前記マット状吸音材の表面に設けられたクロスの縁部を差し込み金物の差し込み部に回り込ませた状態で、該差し込み金物の差し込み部が、前記Ｕ字状金物の内部に室内側から差し込まれてＵ字状金物と結合されることにより、両クロスが見切り材無く連続状態に設けられていることを特徴とする音響壁面構造によって解決される（第１発明）。
【０００６】
この構造では、Ｕ字状金物と差し込み金物とが用いられ、面板状反射材の表面に貼られたクロスの縁部がＵ字状金物の内部に入れ込まれ、マット状吸音材の表面に設けられたクロスの縁部を差し込み金物の差し込み部に回り込ませた状態で、該差し込み金物の差し込み部が、前記Ｕ字状金物の内部に室内側から差し込まれてＵ字状金物と結合されることにより、両クロスが見切り材無く連続して設けられているので、面板状反射材側のクロスと、マット状吸音材側のクロスとを、それらの継ぎ部分を目立たせることなくうまい具合に納めることができて、きれいな仕上がり状態にすることができる。
【０００７】
第１発明において、前記吸音材側のクロスは、マット状吸音材の表面部に対して非接着状態であると共に、裏地無しの布クロスからなっているとよい（第２発明）。この構造では、布クロスの接着層や裏地によるマット状吸音材の吸音性能の低下を防ぐことができて、本来の吸音性能を発揮することができる。もちろん、吸音材側のクロスは、上記のＵ字状金物と差し込み金物を使用した納まり構造の採用によって適正な取付け状態を維持することができる。
【０００８】
第２発明において、前記反射材側のクロスが、貼り付け用の裏地を備えている点を除いて、前記吸音材側の布クロスと同じ布クロスからなっているとよい（第３発明）。この場合は、面板状反射材側のクロスと、マット状吸音材側のクロスとのデザイン上の一体性により、継ぎ目部分をより一層目立ちにくいものにすることができると共に、クロス統一によってコストダウンを図ることも可能になる。
【０００９】
第１〜第３発明において、前記マット状吸音材が、該マット状吸音材を吸音面内において保持する下地桟無く配置されているとよい（第４発明）。この場合は、下地桟の部分だけクロスの表面に経年の汚れが浮き出てしまうという不具合をなくすことができる。
【００１０】
また、第１〜第４発明の音響壁面構造を施工する方法して、前記マット状吸音材側のクロスの縁部を回り込ませた差し込み金物の差し込み部を、Ｕ字状金物における面板状反射材とは反端の側の辺部に前記回り込ませたクロスを介して擦りつけるようにしてＵ字状金物の内部に差し込んでいくことにより、該マット状吸音材側のクロスを張り状態にする方法を採用するとよい（第５発明）。
【００１１】
この場合は、差し込み金物の差し込み部をＵ字状金物の内部に差し込んでいくだけで、マット状吸音材側のクロスを張り状態にすることができて、マット状吸音材側のクロスを施工容易に張り状態にすることができる。
【発明の効果】
【００１２】
本発明は、以上のとおりのものであるから、面板状反射材側のクロスと、マット状吸音材側のクロスとを、それらの継ぎ部分を目立たせることなくうまい具合に納めることができて、きれいな仕上がり状態にすることができる。
【発明を実施するための最良の形態】
【００１３】
次に、本発明の実施最良形態を図面に基づいて説明する。
【００１４】
図１に示す実施形態の音響壁面構造は、同図（ハ）に示すように、吸音面１と反射面２とが左右方向に交互に繰り返し配置された音響壁面構造に適用した場合のもので、同図（イ）（ロ）に示すように、反射面２は、二枚張り石こうボードなどからなる面板状反射材３で構成されると共に、吸音面１は、ＰＥＴ吸音材などのマット状吸音材４で構成されている。面板状反射材３とマット状吸音材４とは、隣り合うようにして、背後の下地面５に沿うように配置され、面板状反射材３はビス等により背後の下地面５に取り付けられ、マット状吸音材４は両面テープ６等により背後の下地面５に取り付けられている。マット状吸音材４には、該マット状吸音材４を吸音面１内において保持する下地桟は入れられておらず、吸音面１はその高さ方向及び幅方向の全体がマット状吸音材４で構成されている。
【００１５】
また、面板状反射材３とマット状吸音材４の各表面部には、クロス７，８が設けられ、面板状反射材３側のクロス７は、のり付け用の裏地を備えた布クロスからなり、マット状吸音材４側のクロス８は、そのような裏地が省略された裏地無しの同じ布クロスからなっており、面板状反射材３側のクロス７については、のり付けで、面板状反射材３の表面部に貼り付けられている。
【００１６】
一方、マット状吸音材４側のクロス８については、Ｕ字状金物９と差し込み金物１０とを用い、マット状吸音材４の表面部に対して非接着状態で設けられている。
【００１７】
即ち、Ｕ字状金物９は、内部奥拡がり状で先端窄まり状の断面形状をしていて、面板状反射材３とマット状吸音材４との間に、その先端開口部を室内側に向けるようにして配置されている。この配置状態において、Ｕ字状金物９は、面板状反射材３の側面部あるいは背後の下地面５に固着状態に取り付けられていてもよいし、単に配置されているだけでもよい。
【００１８】
また、差し込み金物１０は、Ｕ字状金物９の内部に差し込まれる先端膨出状の差し込み部１０ａと、該差し込み部１０ａの基端側に連接され、マット状吸音材４の側面部から背面部にわたるように沿わされる取付け部１０ｂとを備えていて、取付け部１０ｂを両面テープなどで接着してマット状吸音材４の側面部に備えられている。なお、Ｕ字状金物９と差し込み金物１０は、ピース状の金物からなっていてもよいし、長尺な金物からなっていてもよい。
【００１９】
そして、面板状反射材３の表面に貼られたクロス７の縁部は、Ｕ字状金物９の内部に入れ込まれた状態にされると共に、マット状吸音材４の表面に設けられたクロス８の縁部は、差し込み金物１０の差し込み部１０ａに回り込まされた状態にされており、差し込み部１０ａが、Ｕ字状金物９の内部に室内側から弾力的に差し込まれてＵ字状金物９と結合され、それによって、両クロス７，８が見切り材無く連続状態に設けられた構造となっている。
【００２０】
上記の音響壁面構造を形成するための施工の手順については、特段の制限はなく、例えば、図２（イ）（ロ）に示すように、面板状反射材３を背後の下地面５に取り付けた後、その表面部にクロス７をのり付けして貼り付けるのと相前後して、面板状反射材３の側部にＵ字状金物９を配置し、クロス７の側縁部をＵ字状金物９の内部に入れ込んだ状態にする。また、図２（ハ）に示すように、マット状吸音材４の側面部に差し込み金物１０を取り付けた状態でマット状吸音材４の表面部をクロス８でカバーすると共に、該クロス８の側縁部を差し込み金物１０の差し込み部に回り込ませた状態にし、しかる後、マット状吸音材４を背後の下地面５に沿わせるようにして、図２（ハ）（ニ）に示すように、差し込み部１０ａをＵ字状金物９の内部に差し込むというようにして行うことができる。
【００２１】
この差し込み操作によって、面板状反射材３の表面部から延びるクロス７は、差し込み金物１０の差し込み部１０ａに付勢されることで、緩みのないしっかりとした張り状態になる。
【００２２】
その際、差し込み金物１０の差し込み部１０ａを、Ｕ字状金物９における面板状反射材３とは反端の側の辺部９ａに、クロス８を介して擦りつけるようにしてＵ字状金物９の内部に差し込んでいくことでマット状吸音材４側のクロス８を張り状態にすれば、マット状吸音材４側のクロス８も容易に張り状態にすることができる。
【００２３】
上記の音響壁面構造では、断面Ｕ字状金物９と差し込み金物１０とが用いられ、面板状反射材３の表面に貼られたクロスの縁部はＵ字状金物９の内部に入れ込まれ、マット状吸音材４の表面に設けられたクロス８の縁部は差し込み金物の差し込み部に回り込まされ、該差し込み部１０ａが、Ｕ字状金物９の内部に差し込まれてＵ字状金物９と結合されることにより、両クロス７，８が見切り材無く連続して設けられているので、面板状反射材３側のクロス７と、マット状吸音材４側のクロス８とを、それらの継ぎ部分を目立たせることなくうまい具合に納めることができて、きれいな仕上がり状態にすることができる。
【００２４】
また、マット状吸音材４側のクロス８は、マット状吸音材４の表面部に対して非接着状態であると共に、裏地無しの布クロスからなっているので、布クロスの接着層や裏地によるマット状吸音材４の吸音性能の低下を防ぐことができて、本来の吸音性能を発揮することができる。
【００２５】
更に、反射材３側のクロス７は、貼り付け用の裏地を備えている点を除いて、吸音材４側の布クロス８と同じ布クロスからなっているので、面板状反射材３側のクロス７と、マット状吸音材４側のクロス８とのデザイン上の一体性により、継ぎ目部分をより一層目立ちにくいものにすることができる。
【００２６】
また、マット状吸音材４は該マット状吸音材４を吸音面内において保持する下地桟無く配置されているので、下地桟の部分だけクロスの表面に経年の汚れが浮き出てしまうというような不具合もなくすことができる。
【００２７】
以上に、本発明の実施形態を示したが、本発明はこれに限られるものではなく、発明思想を逸脱しない範囲で各種の変更が可能である。例えば、上記の実施形態では、吸音面１と反射面２とが左右方向に交互に繰り返し配置された音響壁面構造に適用した場合を示したが、本発明は、吸音面と反射面とが上下方向に交互に繰り返し配置された音響壁面構造などにも適用することができ、要は、反射面と吸音面とが隣り合わせ状態に配置された各種形態の音響壁面構造に広く適用することができるものである。
【図面の簡単な説明】
【００２８】
【図１】実施形態の音響壁面構造を示すもので、図（イ）は金物の拡大断面平面図、図（ロ）は図（ハ）のＩ−Ｉ線断面図、図（ハ）は音響壁面構造の透視正面図である。
【図２】図（イ）〜図（ニ）は、音響壁面構造の形成方法の一例を順次に示す断面平面図である。
【符号の説明】
【００２９】
１…吸音面
２…反射面
３…面板状反射材
４…マット状吸音材
７…裏地有り布クロス
８…裏地無し布クロス
９…Ｕ字状金物
９ａ…反対側の辺部
１０…差し込み金物
１０ａ…差し込み部
【図１】
2009270393.tif 000003
【図２】
2009270393.tif 000004